(57)【要約】【課題】装着し、通常の生活をするだけで、重心が安定し、および／または体の歪みが矯正される器具を提供する。【解決手段】本発明によれば、以下の発明が提供される。（１）体のゆがみを矯正する器具であって、直径７〜２０ｍｍ、幅５〜１０ｍｍ、厚さ１〜３ｍｍ、硬さ４〜６の円筒状の弾力性を有する素材からなる矯正器具。本発明によれば、本発明の器具を装着して日常生活または運動などのエクササイズを行うことで重心が安定化し、および／または体の歪みを矯正することができる。【選択図】図１
2016024638.tif 000002
【特許請求の範囲】
【請求項１】
体の歪みを矯正する器具であって、直径７〜２０ｍｍ、幅５〜１０ｍｍ、厚さ１〜３ｍｍ、硬度４〜６の円筒状の弾力性を有する素材からなる矯正器具。
【請求項２】
前記体の歪みが、Ｏ脚、背骨の歪み、骨盤の歪み、重心のずれ、柔軟性、である請求項１に記載の矯正器具。
【請求項３】
円筒の内面にエンボス加工がされている請求項１または２に記載の矯正器具。
【請求項４】
足と地面の接地面が安定化する請求項１〜３のいずれか１項に記載の矯正器具。
【請求項５】
装着することで、体の柔軟性が向上することを特徴とする請求項１〜４のいずれか１項に記載の矯正器具。
【請求項６】
体の歪みを矯正する器具であって、直径７〜２０ｍｍ、幅５〜１０ｍｍ、厚さ１〜３ｍｍ、硬度７〜３０の円筒状の弾力性を有する素材からなる矯正器具。
【請求項７】
請求項１〜６に記載の矯正器具であって、いびき軽減用矯正器具。
【請求項８】
足の親指用、人差し指用、中指用、薬指用、および小指用の矯正器具からなる群のうち、いずれか１種以上の矯正器具を２つ以上含むキット、または、これらのうち２種以上異なる指用の矯正器具を含むキット。
【発明の詳細な説明】
【技術分野】
【０００１】
本発明は、体の歪みを改善する矯正器具に関する。
【背景技術】
【０００２】
近年、生活様式の欧風化に伴い、日常生活において、正座をする機会は少なくなっているものの、まだある程度残っている。また、近年交通機関が発達したことで、運動不足気味の人が増え、オフィスワークで不自然な姿勢で事務作業をするなどにより、体の歪みが生じる機会が増えている。これら体の歪みがあると、足による接地が不自然になり、重心の位置がずれ、さらに体の歪みが悪化する場合がある。【０００３】
こうした体の歪みを取る器具としては、特許文献１、特許文献２および特許文献３などが開発されているが、いずれもかなり大型の器具で、しかも、特別に時間を取ってエクササイズする必要があるため、時間と費用がかかるという問題があった。【０００４】
そこで、特に時間を取らず、装着して普通に生活するだけで体の歪みが取れる器具の開発が望まれていた。
【先行技術文献】
【特許文献】
【０００５】
【特許文献１】特開平１１−０４７２０３号公報
【特許文献２】登実第３０６１５３５号公報
【特許文献３】特許第３７３７７５号公報
【発明の概要】
【発明が解決しようとする課題】
【０００６】
装着し、通常の生活をするだけで、重心が安定し、および／または体の歪みが矯正される器具を提供する。
【課題を解決するための手段】
【０００７】
本発明によれば、以下の発明が提供される。
（１）体の歪みを矯正する器具であって、直径７〜２０ｍｍ、幅５〜１０ｍｍ、厚さ１〜３ｍｍ、硬度４〜６の円筒状の弾力性を有する素材からなる矯正器具。ここで硬度とは、JIS K 6253の規格に基づき、タイプＡデュロメータという硬さ試験機で測定した硬度をいう。また、弾力性を有する素材としては、例えば、ゴム、シリコンゴムなどが挙げられるがこれらに限られない。好ましくはシリコンゴムである。直径とは内径の直径を意味する。
（２）前記体の歪みが、Ｏ脚、背骨の歪み、骨盤の歪み、重心のずれ、柔軟性、である（１）に記載の矯正器具。ここで、柔軟性とは、一方向に曲げにくい等の非対称的な柔軟性を言う。例えば、前屈はかなり曲げられるが、後屈が全く曲がらない等の方向による柔軟性の違いをいう。これは体の歪みに起因するものと考えられる。
（３）円筒の内面にエンボス加工がされている（１）または（２）に記載の矯正器具。
（４）足と地面の接地面が安定化する（１）〜（３）のいずれか１に記載の矯正器具。
（５）装着することで、体の柔軟性が向上することを特徴とする（１）〜（４）のいずれか１に記載の矯正器具。
（６）体の歪みを矯正する器具であって、直径７〜２０ｍｍ、幅５〜１０ｍｍ、厚さ１〜３ｍｍ、硬度７〜３０の円筒状の弾力性を有する素材からなる矯正器具。
（７）（１）〜（６）に記載の矯正器具であって、いびき軽減用矯正器具。
（８）体の歪みを矯正する方法であって、直径７〜２０ｍｍ、幅５〜１０ｍｍ、厚さ１〜３ｍｍ、硬度４〜６の円筒状の弾力性を有する素材からなる矯正器具を、少なくとも１以上の適切な足の指に装着することにより体の歪みを矯正する方法。ここで、矯正器具は上記（１）〜（５）に記載したものであることが好ましい。適切な足の指は、体の歪みや柔軟性が改善される足の指をいう。
（９）前記体の歪みが、Ｏ脚、背骨の歪み、骨盤の歪み、重心のずれ、柔軟性、である、（８）に記載の方法。
（１０）前記矯正器具の円筒の内面にエンボス加工がされている、（８）または（９）に記載の方法。
（１１）前記矯正器具が、足と地面の接地面が安定化するものである、（８）〜（１０）のいずれか１に記載の方法。
（１２）前記矯正器具が、装着することで、体の柔軟性が向上するものであることを特徴とする（８）〜（１１）のいずれか１に記載の方法。
（１３）前記矯正器具が、直径７〜２０ｍｍ、幅５〜１０ｍｍ、厚さ１〜３ｍｍ、硬度７〜３０の円筒状の弾力性を有する素材からなる矯正器具である、（８）〜（１２）のいずれか１に記載の方法。
（１４）（１）〜（６）のいずれかの矯正器具を用いていびきを改善する方法。
（１５）（１）〜（６）のいずれかの矯正器具を用いて体の柔軟性を改善する方法。
（１６）体の歪みを矯正するために使用する、（１）〜（６）の矯正器具。
（１７）体の歪みを予防または治療するために使用する、（１）〜（６）の矯正器具。
（１８）親指用、人差し指用、中指用、薬指用、および小指用の矯正器具からなる群のうち、いずれか１種以上の矯正器具を２つ以上含むキット、あるいは、これらのうち２種以上異なる指用の矯正器具を含むキット
【発明の効果】
【０００８】
本発明によれば、本発明の器具を装着して日常生活または運動などのエクササイズを行うことで重心が安定化し、および／または体の歪みを矯正することができる。
【図面の簡単な説明】
【０００９】
【図１】図１は、本発明の足の中指用の円筒形の矯正器具を横から見た図である。点線で円筒の内部壁を示している。
【図２】図２は、本発明の円筒形の矯正器具を上方向から見た図である。
【発明を実施するための形態】
【００１０】
本発明の矯正器具は、弾力性を有する素材からなる円筒状の器具である。大きさには特に制限はないが、直径７〜２０ｍｍ、幅５〜１０ｍｍ、厚さ１〜３ｍｍ、硬度４〜６のものが好ましく用いられる。より好ましくは、直径８〜１６ｍｍ、幅６〜８ｍｍ、厚さ２ｍｍ、硬度５であるが、体の大きい人や外国人向けなどではこれより大きな形状であってもよい。図１および図２に基本的な形態が示されている。基本的な形状は真円またはそれに近い形状が好ましく用いられる。内部（円筒の内側）にエンボス加工などの滑り止め加工をしておくことが好ましい。本明細書において、直径とは特に断らない限り、内径の直径を意味する。
【００１１】
本発明の矯正器具は、好ましくは足指に装着される。その場合、足指の太さによって本発明の矯正器具の直径を変動させることができる。好ましい内径としては、足の親指の場合、１４〜１８ｍｍ、より好ましくは１５〜１７ｍｍ、最も好ましくは１６ｍｍである。
【００１２】
足の人差し指、中指、薬指に装着する本発明の矯正器具については、好ましい内径は７〜１３ｍｍ、より好ましくは、８〜１２ｍｍ、さらに好ましくは９〜１１ｍｍ、最も好ましくは１０ｍｍである。
【００１３】
足の小指に装着する本発明の矯正器具については、好ましい内径は５〜１１ｍｍ、より好ましくは、６〜１０ｍｍ、さらに好ましくは７〜９ｍｍ、最も好ましくは８ｍｍである。
これらの内径については、個人の体格差に応じて適宜修正して用いることができる。
【００１４】
弾力性を有する素材としては、例えば、ウレタン樹脂、ブタジエンゴム、スチレン−ブタジエンゴム、クロロプレンゴム、天然ゴム、シリコーンゲル、シリコーンゴム、アクリルゴム、スチレンゴム等の各種エラストマー樹脂などが挙げられるが、特に限定されない。これらのうち、装着感、色などを考慮すると、シリコンゴムが特に好ましい。要は足指にかけた場合に適度に圧迫し、１日中装着していても気にならない程度の弾力性を有する素材であればよい。また、素材は１種類に限らず、複数の組合せでもよい。
【００１５】
弾力性を有する素材には、抗菌剤を含めてもよい。抗菌剤としては、当業者に周知の抗菌剤が使用でき、特に制限されないが、例えば、銀系の抗菌剤（ゼオライトジルコニウム、アパタイト、チタニア等に銀イオンを担持させたものなど）が使用できる。抗菌剤は、全ゴム成分当たり０．０１〜１０重量％配合されるのが好ましく、０．１〜５重量％配合されるのがより好ましい。
【００１６】
ここで、「弾力性を有する素材からなる」とは、弾力性を有する素材を主要な構成成分として含む意味で、弾力性を有しない素材を全く含まないという意味ではない。一部に弾力性を有しない素材を含めてもよい。
【００１７】
色彩は透明から半透明が好ましく、着色する場合は肌色に近く目立たない色が好ましいがこれらに限られない。例えば、ファッションとして用いるために、カラフルなものや模様を付けても良い。
【００１８】
本発明の矯正器具は、円筒形の筒面全体が連続していてもよく、メッシュ状のように穴を有していてもよい。要は装着して体の歪みが矯正される限り、特に円筒の形状は限定されない。
【００１９】
本発明の矯正器具は、足指、すなわち、足の親指、人差し指、中指、薬指、小指の１つまたは複数に装着して用いる。この際、左右対称に装着する場合もあるが、患者の症例に応じて、非対称に装着してもよい。また、装着する器具の数も同じでなくてもよく、例えば、右足に１個、左足に３〜５個等の組合せで装着してもよい。
【００２０】
どの指に装着するかは、実際に装着してみて、体の柔軟性などが変化する足指に装着するのが好ましい。例えば、前屈した場合に手が床につきにくい方の足指に装着することが好ましい。要は、装着してみて柔軟性が上がる等の効果が感じられた足指に装着すればよい。
【００２１】
通常は両足の足指に装着し、全ての足指ではなく特に効果の高い足指を選択して装着する。体の歪みの傾向により、どの指に装着すればよいかについては、経験的にわかっている専門家のアドバイスを受けることも有効である。
【００２２】
本発明の矯正器具は、どの足指に着用するかにより、異なる影響を及ぼす。例えば、前屈動作がやりにくい時は小指に、後屈動作がやりにくい時は人差指に、側屈動作がやりにくい時は薬指に、脚の内旋動作がやりにくいときは親指に、上体の回旋動作がやりにくい時は中指に、着用すると、やりにくい動作がやりやすくなる。
【００２３】
本発明の矯正器具が適用される症例は、特に制限はないが、重心がずれている、体の柔軟性が低い、膝の関節痛、Ｏ脚、Ｘ脚、背骨の歪み、頸椎の歪み、腰痛などの症例を持つ人に好適に用いられる。体の歪みは直立した状態で観察すれば正中線がずれるので容易にわかる。重心がずれている場合、体の中心線が正中線から左右いずれかにずれる。また、重心がずれているかどうかは足の裏にカード等の紙を挿入することで隙間があるかどうかで判断できる。これらを観察することにより、本発明の矯正器具を取り付ける適切な足指を選択することができる。
【００２４】
本発明の矯正器具によれば、足指に対する力のかかり具合が調整できるので、足の裏全体に体重がかかり、重心が安定し、そのため体の歪みが矯正されるという効果を有する。そのため、扁平足、外反母指なども矯正可能である。また、本発明の矯正器具を装着することでいびきが軽減される効果も見られた。
本発明の矯正器具は、指の中節骨、末節骨および／または関節の周囲を覆うように装着してもそれなりの効果を発揮するが、基底骨の周りに装着するのがより好ましい。すなわち、本発明の矯正器具は、足指および／または手の指の根元から、根元に一番近い関節の間に装着するのが好ましく、指の関節を覆う必要はない。指の根元から、根元に一番近い関節の手前までの一部を、意識に登らない程度の強度で圧迫し続けることで無意識のうちに重心の偏りや歪みが軽減され、それに伴う痛みが軽減またはなくなるという効果が得られる。本発明の矯正器具を装着することにより軽減される痛みとしては、例えば、膝痛、腰痛、股関節痛、背中痛、肩痛、首痛などが挙げられるがこれらに限られない。
【００２５】
本発明の矯正器具は、スポーツ選手にも使用可能である。スポーツ選手は怪我をしたり故障すると、重心がずれるが、その場合は、スポーツ選手用の矯正器具を使用すればよい。スポーツ選手用の矯正器具は形状は通常のものと同じであるが、硬度が通常よりも固く、７〜３０、より好ましくは、８〜２９、さらに好ましくは１０〜２７、よりさらに好ましくは、１２〜２５、特に好ましくは、１５〜２５、最も好ましくは、１８〜２２である。スポーツ選手の場合に硬度を高くしたのは、ラグビーなどで激しい動きをしても切れにくくするためである。したがって、スポーツの動きの激しさに応じて切れない程度に硬度を下げても良い。例えば、本発明の矯正器具の硬度の上限を、２０以下、１９以下、１８以下、１７以下、１６以下、１５以下、１４以下、１３以下、１２以下、１１以下、１０以下、９以下、８以下、７以下に下げてもよい。
【００２６】
スポーツ選手の場合も、本発明の矯正器具は体の歪みを矯正するために使用できる。体の歪みは、例えば、Ｏ脚、背骨の歪み、骨盤の歪み、重心のずれなどが挙げられるがこれらに限られない。さらに、柔軟性の向上、運動能力の向上などの効果も見られた。
【００２７】
本発明の矯正器具が効果を発揮する仕組みはまだ十分には解明されていないが、いわゆるツボや経絡が関与している可能性が考えられる。
【実施例】
【００２８】
（実施例１）
デスクワークでほぼ一日中座りっぱなしの女性で、午後になると足(ふくらはぎ)がだるくなり、毎日椅子の上で正座をする習慣があった。そこで、本発明の矯正器具を足指に１日中つけて過ごしたところ、正座しなくても良いくらい足が楽になった。装着パターンは、左足親指Lサイズ（内径の直径１．６ｃｍ）、左足中指Mサイズ（内径の直径１．０ｃｍ）、右足薬指Mサイズ、右足小指Sサイズ（内径の直径０．８ｃｍ）で装着した。その後は毎日装着している。【００２９】
この女性の場合、毎日装着した結果、以下のような効果が見られた。
（１）背中の違和感が無くなった。【００３０】
これは長年の悩みで、背中と腰の中間あたりにいつも凝りのようなものを感じており、とても不快だった。それが、毎日装着し続けてしばらくたったある日、会社での朝のラジオ体操の際に、後ろに反らしても違和感が無くなっていた。【００３１】
一日の終わりにはとてもダルさを感じ、そのせいか寝姿勢も定まらず、常に眠りが浅い状態だったが、今では夜もよく眠れるようになり、スッキリ感が味わえるようになった。
（２）足のダルさが無くなった。【００３２】
午後以降のふくらはぎのダルさが無くなった。装着４週目以降は、会社で正座無しで過ごせるようになった。【００３３】
また、通勤時(乗り換え２回、トータル１時間立ちっぱなし)も足の疲れを感じにくくなった。【００３４】
これらの効果は、本発明の矯正器具を装着した結果、足指の接地が安定し、体の歪みが矯正され、重心が安定化したことの効果と考えられる。本発明の矯正器具は、継続して装着して仕事や日常生活の動きをする過程で体の歪みが矯正され続けるところに特徴がある。そのため、装着していることが意識に登らない程度の固さ、弾力性、形状（円筒形）であることが好ましい。また、突起などにより、着けていることを意識させる形状は好ましくなく、表面に突起のない円筒形が好ましい。さらに、靴下の下に装着しても、靴を履いても違和感のない形状が好ましい。すなわち、１日中装着していても、寝るときに装着していてもほとんど意識には登らず、無意識のうちに治療効果を発揮できる形状が好ましい。また、指の腹に接触する必要は必ずしもなく、間接部に接触していれば効果を発揮できる。【００３５】
（実施例２）
猫背で、自覚症状は、たまに腰が痛いくらいで特にない患者の例。本発明の矯正器具の装着前の状態は、前屈は、指先が付く程度で後屈は、頭が上向いているくらいで全く曲がらなかった。座位と立位でカードを使って重心のずれ（足の裏全体で地面を捉えているか）をチェックした。足指に本発明の矯正器具を色々かけ方を変えてみて、ベストな掛け方を決定した。【００３６】
本発明の矯正器具をかけると、前屈はかける前よりも2，3センチ曲がらなくなったが、後屈した際は本人がアッと驚くほど後ろに曲がるようになった。本人も鏡を見て猫背が大分改善されて、驚いていた。【００３７】
（実施例３）
腿の内側がどうもポッテリしているのが気になる患者の例。本発明の矯正器具を付けて歩くだけで、他にはストレッチも筋トレも何にもしてないが、腿の内側がスッキリしてきた。【００３８】
手にも装着すると、前に巻いていた左の肩がまっすぐになってきたら左前の胸の筋肉と同じく左の上腕、特に前側の腕の付け根が痛くなってきた。肋骨が、捻じれて反っているためこのような症状が出ている可能性がある。【００３９】
（実施例４）
Ｏ脚の５０代の男性に、左足の中指、右足の親指、中指、薬指に本発明の矯正器具を装着し、１カ月継続したところ、歩く際にＯ脚の膝がポキポキ音がなるようになった。その後も継続していると、Ｏ脚がかなり矯正されていた。このような場合には、効果が出てきたら、さらに効果を高めるために、矯正器具を付ける足指の位置を変えるとより有効な場合がある。【００４０】
（実施例５）
バレエをやっている小学５年生の女子で、右足側に重心がかかり右への側屈と左への回旋がしにくい歪みを持つ子が本発明の器具を寝るときと入浴時以外に足指（左足薬指と右足中指）に付けて練習をすることで、体の歪みが改善して２ヶ月後に全国９位、４ヶ月後には全国２位、５ヶ月後には全国１位とめざましく上達した。本発明の矯正器具を装着することで、バレエの動きがよくなるという効果が見られた。【００４１】
プロラグビー選手が試合後に本発明の矯正器具を左足親指と右足薬指に装着した場合、膝の打撲の痛みはあるものの、内側のハリは解消した。また、背中の歪みが矯正されたことが体感できた。【００４２】
別のラグビー選手は、右の足首が弱く、身体のバランスをみても足の甲外側ばかりに体重がのって、母指球にのっていない状態だった。足指バンドを右足親指と右足人差し指に装着したところ、身体の重心が前に乗り、母指球に体重がきちんと掛かるようになった。【００４３】
いびきがひどい男性に本発明の矯正器具を両足の中指につけさせて寝かせたところ、いびきが明らかに軽減された。これは、体が真っ直ぐになったために、呼吸がしやすくなりいびきが軽減されたと考えられる。【００４４】
本発明にかかる矯正器具は、左右の足指中各人の症状に合った足指に装着するものであるから、複数の矯正器具を組み合わせて使用することが多い。したがって販売形態としては、単品でも販売できるが、組合せキットの形態で販売することもできる。例えば、親指用および中指用、中指用および小指用、ならびに小指用および親指用の群から選ばれる少なくとも１つの組合せを含むキットであってもよく、親指用、中指用および小指用の矯正器具全てを含むキットであってもよい。さらに、親指用、人差し指用、中指用、薬指用、および小指用の矯正器具からなる群のいずれか１種以上の矯正器具を２つ以上含むキット、あるいは、これらのうち異なる２種以上の矯正器具の組合せを含むキットとして販売することができる。これら５種類全部を含むキットや、５種類を２個づつ、あるいはそれ以上含むキットとして販売することもできる。
【産業上の利用可能性】
【００４５】
本発明は、健康産業、健康用器具の製造業などに利用可能である。
【符号の説明】
【００４６】
１    円筒の外周
２    円筒の内周
【図１】
2016024638.tif 000003
【図２】
2016024638.tif 000004
【国際調査報告】
2016024638.tif 000005
2016024638.tif 000006
2016024638.tif 000007